(57)【要約】      （修正有）【課題】ベルト等への取付けの際には、従来のループ保持具では、一対の取付部材からなるため、一方の手で下側の取付部材を支えながら、他方の手で上側の取付部材を持たなければならず、両手が必要になる。【解決手段】ズボンのベルトなどに取付ける取付部は、弾性材で一体に構成された底部５と、底部５に形成された係合穴部９と、底部５の一端側に基端側が固定され他端側の遊端１３が底部５に近接または当接することで底部５上の空間を包囲する逆Ｕ字状包囲部１１と、逆Ｕ字状包囲部１１の遊端１３側に形成された係合片１５とからなり、係合穴部９に係合片１５が係合することで逆Ｕ字状包囲部１１と底部５が当接して環状に安定的に保持される。ループ保持具１をベルトから取り外す場合には遊端１３側の面を外方に押して係合を解除すればよいので、片方の手で操作すれば足りる。【選択図】図２
0003134717.tif 000002
【実用新案登録請求の範囲】
【請求項１】
ズボンのベルトなどに取付ける取付部と、前記取付部に固定され携帯電話機のストラップ等のループ状となった紐状体を保持する保持部とを有し、前記取付部は、弾性材で一体に構成された底部と、前記底部に形成された係合穴部と、前記底部の一端側に基端側が固定され他端側の遊端が前記底部に近接または当接することで前記底部上の空間を包囲する逆Ｕ字状包囲部と、前記逆Ｕ字状包囲部の遊端側に形成された係合片とからなり、前記係合穴部に前記係合片が係合することで前記包囲部と底部が当接してなる環状が安定的に保持されることを特徴とするループ保持具。
【請求項２】
請求項１に記載したループ保持具において、取付部の逆Ｕ字状包囲部の内面には凸部が形成されていることを特徴とするループ保持具。
【請求項３】
請求項１または２に記載したループ保持具において、取付部の底部の他端には外方に向かって低くなる傾斜面が形成され、係合片の下端には逆向きの傾斜面が形成されており、前記係合片の下端傾斜面が前記底部の傾斜面により乗り上げ案内されることを特徴とするループ保持具。
【請求項４】
請求項１から３のいずれかに記載したループ保持具において、保持部は弾性材で一体に構成された逆Ｕ字状包囲部の基端側の側面と、前記側面の下端から外方に向かって延び、更に屈曲されて上方に向かって延びた屈曲部とからなる上方に開口したＵ字状吊下げ部と、基端が前記吊下げ部の内面に固定され斜め下方に延びて前記開口の隙間を弾性的に狭くまたは閉じる延出片とからなることを特徴とするループ保持具。
【請求項５】
請求項４に記載したループ保持具において、さらに、基端が延出片の基端の下方に固定され斜め下方に向かって延びた別の延出片を備え、一対の延出片の延出端が互いに離間する方向に弾性的に広げられてその間に紐状体を引き込むことを特徴とするループ保持具。
【請求項６】
請求項１から３のいずれかに記載したループ保持具において、保持部は弾性材で一体に構成された逆Ｕ字状包囲部の基端側の側面と、前記側面の下端から外方に向かって延びた後に屈曲されて更に上方に向かって延びた屈曲部とからなる上方に開口したＵ字状吊下げ部と、前記吊下げ部の上方延長部分の内面から前記包囲部の基端側の側面に向かって立ち上がり、その頂部が前記側面に接触または近接した突起部とからなることを特徴とするループ保持具。
【考案の詳細な説明】
【技術分野】
【０００１】
本考案はループ保持具に係り、特に携帯電話機のストラップ等を保持してズボンのベルトやカバン等に装着できるループ保持具に関するものである。
【背景技術】
【０００２】
携帯電話機に取り付けるストラップ等のようにループ状にした紐状体を保持するループ保持具は従来からあるが、該ループ保持具がズボンのベルトなどに取り付けて使用されることが想定されている場合には、その取付部は連結すると環状になる一対の取付部材で構成されている場合が多い。
一対の取付部材でベルトに取り付ける場合には、通常下側の取付部材でベルトを下側から挟み込みながら、上側の取付部材で下側の取付部材を上側から挟み込む。これにより、下側の取付部材が上側の取付部材の中に相対的に差し込まれ連結されてベルトを囲んだ一体の環状体になり、ベルトが一対の取付部材に包囲されて保持されることになる。
また、保持部は、フックと、該フックの開口を閉じる開閉部材と、該開閉部材を閉じる方向に付勢させるバネとで構成されている場合が多い。
【考案の開示】
【考案が解決しようとする課題】
【０００３】
ベルト等への取付けの際には、従来のループ保持具では、一方の手で下側の取付部材を支えながら、他方の手で上側の取付部材を持たなければならず、両手が必要になる。しかしながら、電車の中で荷物を抱えながら立っている場合などは両手を使うことはできない。また、取付部材の一方がループ保持具から物理的に分離できるため、手が滑って該取付部材を落としたりし易い。
また、ストラップを取り外す際には、従来のループ保持具では、バネの付勢力が強いので開閉部材を一方の手の指でいちいち押して開きながら、他方の手で紐状体を引っ張り上げなければならず、これまた両手が必要になる。加えて、保持部が小型である場合には開閉部材を押し難く、場合によっては爪を傷めてしまう。
【０００４】
本考案は上記従来の問題点に着目して為されたものであり、片方の手で取付部を操作するだけでベルトなどに取り付けることができ、しかも物理的に一体に構成されており、一部の部材を落としたりすることが無いループ保持具を提供することを、その目的とする。
また、本考案は、片方の手で紐状体を持って下方に引っ張る等の動作をするだけで、紐状体を保持部から容易に取り外すことができるループ保持部を提供することを目的とする。
【課題を解決するための手段】
【０００５】
本考案は上記課題を解決するためになされたものであり、請求項１の考案は、  ズボンのベルトなどに取付ける取付部と、前記取付部に固定され携帯電話機のストラップ等のループ状となった紐状体を保持する保持部とを有し、前記取付部は、弾性材で一体に構成された底部と、前記底部に形成された係合穴部と、前記底部の一端側に基端側が固定され他端側の遊端が前記底部に近接または当接することで前記底部上の空間を包囲する逆Ｕ字状包囲部と、前記逆Ｕ字状包囲部の遊端側に形成された係合片とからなり、前記係合穴部に前記係合片が係合することで前記包囲部と底部が当接してなる環状が安定的に保持されることを特徴とするループ保持具である。
【０００６】
請求項２の考案は、請求項１に記載したループ保持具において、取付部の逆Ｕ字状包囲部の内面には凸部が形成されていることを特徴とするループ保持具である。
【０００７】
請求項３の考案は、請求項１または２に記載したループ保持具において、取付部の底部の他端には外方に向かって低くなる傾斜面が形成され、係合片の下端には逆向きの傾斜面が形成されており、前記係合片の下端傾斜面が前記底部の傾斜面により乗り上げ案内されることを特徴とするループ保持具である。
【０００８】
請求項４の考案は、請求項１から３のいずれかに記載したループ保持具において、保持部は弾性材で一体に構成された逆Ｕ字状包囲部の基端側の側面と、前記側面の下端から外方に向かって延び、更に屈曲されて上方に向かって延びた屈曲部とからなる上方に開口したＵ字状吊下げ部と、基端が前記吊下げ部の内面に固定され斜め下方に延びて前記開口の隙間を弾性的に狭くまたは閉じる延出片とからなることを特徴とするループ保持具である。
【０００９】
請求項５の考案は、請求項４に記載したループ保持具において、さらに、基端が延出片の基端の下方に固定され斜め下方に向かって延びた別の延出片を備え、一対の延出片の延出端が互いに離間する方向に弾性的に広げられてその間に紐状体を引き込むことを特徴とするループ保持具である。
【００１０】
請求項６の考案は、請求項１から３のいずれかに記載したループ保持具において、保持部は弾性材で一体に構成された逆Ｕ字状包囲部の基端側の側面と、前記側面の下端から外方に向かって延びた後に屈曲されて更に上方に向かって延びた屈曲部とからなる上方に開口したＵ字状吊下げ部と、前記吊下げ部の上方延長部分の内面から前記包囲部の基端側の側面に向かって立ち上がり、その頂部が前記側面に接触または近接した突起部とからなることを特徴とするループ保持具である。
【考案の効果】
【００１１】
本考案のループ保持具によれば、片方の手で取付部を操作するだけでベルトなどに取り付けることができ、しかも物理的に一体に構成されており、一部の部材を落としたりすることが無い。
また、本考案のループ保持具によれば、片方の手で紐状体を持って下方に引っ張る等の動作をするだけで、紐状体を保持部から容易に取り外すことができる。
【考案を実施するための最良の形態】
【００１２】
以下、本考案の第１の実施の形態に係るループ保持具１を、図１から図５に従って説明する。
このループ保持具１は、ズボンのベルトＢにループ状の紐状体としての携帯電話機のストラップＳを吊下げる場合を想定して設計されたものである。
ループ保持具１は弾性材であるプラスチックによって一体に構成されている。
符号３は取付部を示し、この取付部３の構造を以下に説明する。
取付部３は、前後方向がベルトＢの挿通用に開口している。
符号５は底部を示し、この底部５は平板状になっている。この底部５の左側端には外方（左方）に向かって底部５の高さが低くなる傾斜面７が形成されている。
符号９は係合穴部を示し、この係合穴部９は底板５の左側端寄りに前後方向に長く延びた長穴状に形成されている。係合穴部９は底部５を厚み方向に貫通している。
【００１３】
符号１１は逆Ｕ字状包囲部を示し、この逆Ｕ字状包囲部１１は帯状材が上下逆の逆Ｕ字状に屈曲された形状をしている。この逆Ｕ字状包囲部１１の右側下端（基端）が底部５の右側端に結合して底部５から立ち上がって、底部５上の空間を包囲するように屈曲されており、逆Ｕ字状包囲部１１の左側下端である遊端１３は底部５の左側端の傾斜面７に対向している。なお、逆Ｕ字状包囲部１１と底部５の幅（それぞれ前後方向の長さ）は同じに設定されている。
【００１４】
符号１５は係合片を示し、この係合片１５は逆Ｕ字状包囲部１１の遊端１３の中央部分に連続してその先に延びて形成されている。係合片１５は矩形をなしており、その幅は包囲部１１の幅より短くなっている。係合片１５の大きさは係合穴部９に入り込むように設定されており、その長さは底部５の厚さとほぼ同じになっている。
係合片１５の下端は外方（左方）に向かって低くなる傾斜面１７になっている。即ち、底部５の傾斜面７と係合片１５の傾斜面１７は逆向きになっている。
逆Ｕ字状包囲部１１の遊端１３及び係合片１５は、図２の点線に示すように、係合片１５が係合穴部９に入り込んで係合されていないときには、底部５の左側端に左上方から近接している。
【００１５】
符号１９は凸部を示し、同じ形状のものが２つ形成されている。各凸部１９は断面が半円状の蒲鉾形をしており、逆Ｕ字状包囲部１１のＵ字形をなす一対の側面のうち遊端１３側の内面に形成されている。２つの凸部１９は、それぞれ逆Ｕ字状包囲部１１の幅方向に平行にしかも互いに離間しながら延在している。但し、いずれも、幅端部付近には形成されていない。
【００１６】
符号２１は保持部を示し、この保持部２１の構造を以下に説明する。
符号２３はフック部（屈曲部）を示し、このフック部２３は帯状材がＪ字状に屈曲された形状をしている。このフック部２３の左側下端（基端）は逆Ｕ字状包囲部１１の右側面（基端側の側面）の下端と結合しており、外方（右方）に延びた後に屈曲されて上方に延びている。従って、逆Ｕ字状包囲部１１とフック部２３とで全体としてＳ字を横に倒した形状をなしている。逆Ｕ字状包囲部１１の右側面とフック部２３とで上方に開口したＵ字状吊下げ部２５が構成されている。  即ち、ループ保持具１の取付部３の逆Ｕ字状包囲材１１と保持部２１のＵ字状吊下げ部２５は１つの側面を共用している。
フック部２３の右側上端部は逆Ｕ字状包囲部１１の頂部より低くなっており、幅方向の両側縁は丸く湾曲されている。しかも、左方に低くないように傾斜面が形成されている。
なお、フック部２３の幅方向の両端部は上下方向に延びる部位では切り欠かれており、逆Ｕ字状包囲部１１より幅狭になっている。
【００１７】
符号２７は第１延出片を示し、この第１延出片２７はほぼ矩形の板状をしており、その幅はフック部２３の幅より狭くなっている。第１延出片２７の上側辺部（基端）がフック部２３の上下方向に延びた部位の内面と比較的高い位置で結合している。第１延出片２７は斜め下方に向かって延びており、途中で一度屈曲されて傾斜角度を緩やかにして延出端２９に至っている。また、上側から下側に向かうに従ってその厚みは先細りになっている。
【００１８】
符号３１は第２延出片を示し、この第２延出片３１は第１延出片２７と同じようにほぼ矩形の板状をしており、その上側辺部（基端）が第１延出片２７の屈曲部に対向する高さ位置でフック部２３の内面と結合している。第２延出片３１は斜め下方を向いて逆Ｕ字状包囲部１１の右側面に向かって延びて延出端３３に至っている。第２延出片３１の傾斜角度は第１延出片２７のうち下側の傾斜角度より急になっている。また、上側から下側に向かうに従ってその厚みは先細りになっている。
第１延出片２７の延出端２９と、第２延出片３１の延出端３３はほぼ同じ高さにあり、しかも互いに近接している。従って、第１延出片２７と第２延出片３１とで上下方向に空間が限定された引き込み空間３５が形成されている。
【００１９】
次に、図４に示すような使用方法を説明する。
先ず、ループ保持具１をベルトＢに取り付ける場合には、逆Ｕ字状包囲部１１の遊端１３と底部５との間の隙間を押し広げながらベルトＢを逆Ｕ字状包囲部１１の中に入れる。次いで、逆Ｕ字状包囲部１１の左側面を逆に右側に押すと、逆Ｕ字状包囲部１１の左側面の下端である遊端１３のさらに先端にある係合片１５の傾斜面１７が底部５の傾斜面７上を摺動しながらスムーズに底部５の上面に乗り上がり、係合片１５は底部５の係合穴部９に入り込んで係合されると共に、遊端１３が底部５の上面に当接して取付部３が環状になる。
これにより、ベルトＢは取付部３に取付けられる。図２の実線は、ループ保持具１がベルトＢに取り付けられた状態を示している。
上記操作は片方の手で容易に行える。
環状になった状態では、凸部１９と逆Ｕ字状包囲部１１の右側面の内面とがベルトＢに弾接しており、逆Ｕ字状包囲部１１のベルトＢに対する相対移動は規制される。また、環状状態は係合により安定的に保持される。
【００２０】
逆に、ループ保持具１をベルトＢから取り外す場合には、逆Ｕ字状包囲部１１の遊端１３側の側面（左側面）を掴んで外方（左方）に押し広げて、係合片１５を係合穴部９から引き出して係合を解除する。次いで、逆Ｕ字状包囲部１１を上方に引っ張り上げると、逆Ｕ字状包囲部１１の遊端１３と底部５との間の隙間からベルトＢが相対的に引き出されるので、ベルトＢからループ保持部１が取り外される。
【００２１】
ベルトＢに取り付けたループ保持具１にストラップＳを吊下げる場合には、Ｕ字状吊下げ部２５の開口にストラップＳを差し入れて引き下げると、ストラップＳはＵ字状吊下げ部２５の底部に掛けられる。
Ｕ字状吊下げ部２５の左側面と第１延出片２７との間には隙間ｗ１が形成されている。この隙間ｗ１はストラップＳの断面の直径（図３で斜線で示したもの）より小さく設定されているが、ストラップＳがＵ字状吊下げ部２５の開口に差し入れられて引き下げられると、第１延出片２７が第２延出片３１側に弾性的に押下げられて隙間ｗ１が広げられるのでストラップＳは隙間ｗ１をスムーズに通り抜ける。
【００２２】
ストラップＳが不用意に上方に引っ張られても、図３に示すように、第１延出片２７の延出端２９に当たってそこで上方への移動を規制される。或いは、第１延出片２７の延出端２９と第２延出片３１の延出端３３に当たって延出端どうしを互いに離れる方向に押し開いてその隙間ｗ２を点線で示すように押し広げて、隙間ｗ２から第１延出片２７と第２延出片３１との間の引き込み空間３５に入り込む。上記いずれの場合でも、ストラップＳからの上方への引張り力は第２延出片３１が主にまたは第１延出片２７と第２延出片３１が共同で受け止めるので、第１延出片２７には過度の負担はかからない。
なお、ストラップＳは引き込み空間３５に入り込んでも、軽く下方に引っ張れば容易に外れる。
【００２３】
ストラップＳをＵ字状吊下げ部２５の底部に吊下げられている状態から取り外す場合には、図５に示すように、ストラップＳをＵ字状吊下げ部２５に吊り下げたときの操作を再度行う。即ち、ループ保持具１のＵ字状吊下げ部２５の開口にストラップＳを再度差し入れて引き下げる。すると、ストラップＳはＵ字状吊下げ部２５を囲むループから、Ｕ字状吊下げ部２５を囲まないループに変わるので、ストラップＳはループ保持具１のＵ字状吊下げ部２５から容易に外れる。
上記操作は片方の手で容易に行える。
【００２４】
以下、本考案の第２の実施の形態に係るループ保持具４１を図６、図７に従って説明する。
第１の実施の形態に係るループ保持具１とほぼ同じ構成部分は同じ符号を付すことで説明を省略する。このループ保持具４１はループ保持具１より厚みが無いが、基本的な構造はＵ字状吊下げ部４３のみが異なる。
このＵ字状吊下げ部４３のフック部４５は基端から外方（右方）に膨らむように円弧状に湾曲した後に屈曲されて更に上方に向かって延びている。円弧状部では上方に向かうに従って徐々に幅が狭くなっており、上方に向かった延びた部分の幅はその狭くなった幅になっている。
符号４７は突起部を示し、この突起部４７はフック部４５の上方に延びる部分の内面に結合されている。突起部４７は断面が上下方向に略等しい富士山型の三角形状になっており、幅（前後）方向に延びている。突起部４７の頂部とＵ字状吊下げ部４３の左側面との間には隙間ｗ３があいているが、この隙間ｗ３はストラップＳの断面直径よりは小さく設定されている。
【００２５】
ベルトＢに取り付けたループ保持具４１にストラップＳを吊下げる場合には、Ｕ字状吊下げ部４３の開口にストラップＳを差し入れて引き下げる。ストラップＳは、突起部４７の上側稜線を摺動しながら下降し、Ｕ字状吊下げ部４３の左側面と突起部４７との間の隙間ｗ３を弾性的に押し広げながら通過して、底部に至りそこから吊下げられる。
ストラップＳをＵ字状吊下げ部４３の底部に吊下げられている状態から取り外す場合には、吊下げる場合とは逆にストラップＳを引っ張り上げる。ストラップＳは、突起部４７の下側稜線を摺動しながら上昇し、隙間ｗ３を弾性的に押し広げながら通過して上方に抜け出す。
【００２６】
以下、本考案の第３の実施の形態に係るループ保持具５１を図８に従って説明する。
第２の実施の形態に係るループ保持具４１と同じ構成部分は同じ符号を付すことで説明を省略する。このループ保持具５１はループ保持具４１と突起部５３の形状のみが異なる。
ループ保持具４１の突起部４７は断面が上下方向に略等しい富士山型の三角形状をしているが、このループ保持具５１の突起部５３は下側の稜線が略水平になっている。
【００２７】
ストラップＳをＵ字状吊下げ部４３の底部に吊下げられている状態から取り外す場合には、ストラップＳを第１の実施の形態に係るループ保持具１のＵ字状吊下げ部２５に吊下げたときと同じ操作を再度行う。即ち、第１の実施の形態に係るループ保持具１と同様に操作する。
このループ保持具５１は、不用意に携帯電話機が上方に引っ張られてもストラップ保持具４１よりはストラップＳは抜け出し難い。
【００２８】
第２の実施の形態に係るループ保持具４１ではストラップＳを引っ張り上げるだけで取り外すことができるので、取り外し操作は上記したものの中で一層容易であるが、ストラップＳが不用意に抜け出すのを防止する点からは、第１の実施の形態に係るループ保持具１や第３の実施の形態に係るループ保持具５１が有用である。
携帯電話機を外にむき出しにせずにポケットなどに入れておく場合には、不用意に引っ張り上げられることはあまり無いことから、使用する状況に応じてループ保持具を使い分けすればよい。
【００２９】
以上、本考案の実施の形態について詳述してきたが、具体的構成は、この実施の形態に限られるものではなく、本考案の要旨を逸脱しない範囲における設定の変更などがあっても本考案に含まれる。
例えば、ループ保持具１はベルトに装着するものであるため、それに適応した大きさの取付部になっているが、取付け対象が異なれば取付部の大きさも異なる。
【産業上の利用可能性】
【００３０】
本考案のループ保持具は、携帯電話機のストラップ等に限定されず、ループ状の紐状体やリング状の金具を保持する場合であれば、どのようなものに対しても適用することが可能である。
【図面の簡単な説明】
【００３１】
【図１】本考案の第１の実施の形態に係るループ保持具の斜視図である。
【図２】図１のループ保持具の側面図である。
【図３】図１のループ保持具のストラップの保持機構の説明図である。
【図４】図１のループ保持具をズボンのベルトに取り付け携帯電話機のストラップを吊下げた状態の斜視図である。
【図５】図４の状態からストラップを取り外す場合の操作の説明図である。
【図６】本考案の第２の実施の形態に係るループ保持具の斜視図である。
【図７】図６のループ保持具の側面図である。
【図８】本考案の第３の実施の形態に係るループ保持具の側面図である。
【符号の説明】
【００３２】
１‥ループ保持具（第１の実施の形態）      ３‥取付部      ５‥底部
７‥傾斜面      ９‥係合穴部      １１‥逆Ｕ字状包囲部      １３‥遊端
１５‥係合片      １７‥傾斜面      １９‥凸部      ２１‥保持部
２３‥フック部      ２５‥Ｕ字状吊下げ部      ２７‥第１延出片
２９‥（第１延出片の）延出端      ３１‥第２延出片
３３‥（第２延出片の）延出端      ３５‥引き込み空間
ｗ１，ｗ２‥隙間
４１‥ループ保持具（第２の実施の形態）      ４３‥Ｕ字状吊下げ具
４５‥フック部      ４７‥突起部      ｗ３‥隙間
５１‥ループ保持具（第３の実施の形態）      ５３‥突起部
【図１】
0003134717.tif 000003
【図２】
0003134717.tif 000004
【図３】
0003134717.tif 000005
【図４】
0003134717.tif 000006
【図５】
0003134717.tif 000007
【図６】
0003134717.tif 000008
【図７】
0003134717.tif 000009
【図８】
0003134717.tif 000010